Podtech/llm-jp-corpus-v4-ja_patent huggingface dataset:
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
少なくとも一つの任意の種類の熱可塑性プラスチックを含有する層と、熱可塑性プラスチックとしてポリホルマールまたはコポリホルマールを含有する層を含んでなる、多層生成物。
【請求項２】
共押出による、請求項１に記載の多層生成物の製造方法。
【請求項３】
請求項１に記載の多層生成物を含有する生成物。
【請求項４】
請求項１に記載のポリホルマールまたはコポリホルマールと、ＵＶ吸収剤を含有する、組成物。
【請求項５】
共押出材料としての請求項４に記載の組成物の使用。
【手続補正２】
【補正対象書類名】明細書
【補正対象項目名】０００１
【補正方法】変更
【補正の内容】
【０００１】
本発明は、少なくとも一つの透明熱可塑性プラスチックを含有する層と、少なくとも一つのポリホルマールまたはコポリホルマールに基づく透明熱可塑性プラスチックを含有する層を含んでなる、多層生成物、特に多壁シートまたは固体シート、ならびにポリホルマールまたはコポリホルマールと、ＵＶ吸収剤を含有する組成物に関する。
さらに、本発明は、このような多層生成物、例えば、多壁シートまたは固体シートの製造方法、ならびに上記多層多壁シートまたは固体シートを含有する他の生成物に関する。
【手続補正３】
【補正対象書類名】明細書
【補正対象項目名】０００２
【補正方法】変更
【補正の内容】
【０００２】
多壁シートには、一般に、それらを紫外光による損傷(例えば、黄変)から保護するために、例えば、一つまたは二つの側面の外側にＵＶ共押出層または層が提供される。しかしながら、他の多層生成物も、このように、紫外光による損傷から保護される。
【手続補正４】
【補正対象書類名】明細書
【補正対象項目名】００３１
【補正方法】変更
【補正の内容】
【００３１】
多壁シートは、二壁シート、三壁シート、四壁シートなどであり得る。また、多壁シートは、異なるプロフィール、例えば、ＸプロフィールまたはXXプロフィールなどを有することができる。また、多壁シートは、波形多壁シートでもあり得る。
【手続補正５】
【補正対象書類名】明細書
【補正対象項目名】０１０９
【補正方法】変更
【補正の内容】
【０１０９】
共押出し自体は、文献から既知である(例えば、欧州特許公開EP-A 0 110 221および欧州特許公開EP-A 0 110 238を参照のこと)。この場合、該方法は、好適には以下のように行う。コア層および最上層の製造のための押出機を、共押出アダプターに接続する。該アダプターを、最上層を形成する溶融物が薄層でコア層の溶融物と結合するように構成させる。次いで、かくして製造された多層溶融ストランドを、その背後に接続されたノズル中で所望される(多壁または固体シート)ように成形する。次いで、溶融物を、制御された条件下、既知の方法で、カレンダリング(固体シート)によって、または真空サイジング(多壁シート)によって冷却し、次いで、所定の長さに切断する。サイジング後、必要に応じて焼き戻しオーブンを使用して応力を除去してもよい。ノズルの前方にアダプターを取り付ける代わりに、溶融物がそこで合わさるように、ノズル自身を設計することもできる。
【手続補正６】
【補正対象書類名】明細書
【補正対象項目名】０１８２
【補正方法】変更
【補正の内容】
【０１８２】
ベース材料のポリカーボネートを、主押出機の充填ホッパーに添加し、共押出材料を共押出機の充填ホッパーに添加した。各材料の溶融および供給は、各々の可塑化系(シリンダー／スクリュー)で行った。両方の材料溶融物を、共押出機アダプター中で組み合わせ、ノズルから出し、カレンダーで冷却した後、複合構造を形成させた。他の装置は、共押出シートを輸送し、所定の長さに切断し、受け取るのに供した。
次いで、得られたシートを、視覚的に検査した。記載した用途に適当な透明シートが得られる。
本発明の好適な実施態様には、以下のものが含まれる。
〔１〕  少なくとも一つの任意の種類の熱可塑性プラスチックを含有する層と、熱可塑性プラスチックとしてポリホルマールまたはコポリホルマールを含有する層を含んでなる、多層生成物。
〔２〕  少なくとも一つの共押出層中に、一般式(１ａ)または(１ｂ)：
〔化１〕
2006528566.tif 000001
〔式中、基Ｏ-Ｄ-ＯおよびＯ-Ｅ-Ｏは、任意のジフェノラート基を意味し、
ここで-Ｄ-および-Ｅ-は、必要に応じてヘテロ原子を含有する一以上の芳香族または縮合芳香族核を含有していてもよく、必要に応じてＣ１〜Ｃ１２アルキル基またはハロゲンで置換され、および架橋連結基として脂肪族基、脂環族基、芳香族核またはヘテロ原子を含有していてもよい、６〜４０個の炭素原子を有する芳香族基であり、
ｋは、１〜１５００の自然数を意味し、
ｏは、１〜１５００の数を意味し、
ｍは、分数ｚ／ｏを意味し、
ｎは、分数(ｏ−ｚ)／ｏを意味し、
ここでｚは、０〜ｏの数を意味する。〕
で示されるポリホルマールまたはコポリホルマールを含有することを特徴とする、上記〔１〕に記載の多層生成物。
〔３〕  ベース層は、ポリカーボネート、コポリカーボネート、ポリエステル、コポリエステル、ポリエステルカーボネート、ポリカーボネート-ポリエステルブレンドまたはポリメチルメタクリレートを含んでなる、上記〔１〕に記載の多層生成物。
〔４〕  ベースポリマーは、ビスフェノールＡに基づくホモポリカーボネート、１,１-ビス-(４-ヒドロキシフェニル)-３,３,５-トリメチルシクロヘキサンに基づくホモポリカーボネート、二つのモノマー、ビスフェノールＡおよび１,１-ビス-(４-ヒドロキシフェニル)-３,３,５-トリメチルシクロヘキサンに基づくコポリカーボネート、および二つのモノマー、ビスフェノールＡおよび４,４'-ジヒドロキシジフェニルに基づくコポリカーボネートからなる群から選択される、上記〔１〕に記載の多層生成物。
〔５〕  被覆物は、さらに１〜２０重量％のＵＶ吸収剤を含有する、上記〔１〕に記載の多層生成物。
〔６〕  被覆物は、１０〜５００μｍの厚みである、上記〔１〕に記載の多層生成物。
〔７〕  共押出による、上記〔１〕〜〔６〕のいずれかに記載の多層生成物の製造方法。
〔８〕  上記〔１〕〜〔７〕のいずれかに記載の多層生成物を含有する生成物。
〔９〕  上記〔１〕に記載のポリホルマールまたはコポリホルマールと、ＵＶ吸収剤を含有する、組成物。
〔１０〕  共押出材料としての上記〔９〕に記載の組成物の使用。
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
式[K]n+[A]n-
（ここで、
nは1、2または3であり；
[K]+は、
・式[NR1, R2, R3, R4]+(Ia)の４級アンモニウムカチオン、
・式[PR1, R2, R3, R4]+(Ib)の４級ホスホニウムカチオン、
（ここで、R1, R2, R3, R4はそれぞれC1〜C12-アルキルまたはフェニル- C1〜C4-アルキルであり、脂肪族基は、ハロゲン、アミノ、シアノ、C1〜C4-アルコキシから成る群より選択される1〜4個の置換基を有していてもよく、フェニル環は、上記置換基およびまたC1〜C6-アルキル、カルボキシレートおよびスルホネート基を有していてもよく、R1およびR2は一緒になって、C1〜C4-アルキル、ハロゲン、シアノまたはC1〜C4-アルコキシで置換されていてもよいC4〜C5-アルケニレン基を形成してもよい）
・式
【化１】
2006528599.tif 000001
のイミダゾリウムカチオン、
・式
【化２】
2006528599.tif 000002
のピリジニウムカチオン、
・式
【化３】
2006528599.tif 000003
のピラゾリウムカチオン、
・式
【化４】
2006528599.tif 000004
のキノリニウムカチオン
・式
【化５】
2006528599.tif 000005
のチアゾリウムカチオン、
・式
【化６】
2006528599.tif 000006
のトリアジニウムカチオン
（ここで、指標nおよび置換基RおよびRXは以下の意味を有する：
nは0、1、2、3または4であり；
Rは水素、C1〜C12-アルキルまたはフェニル- C1〜C4-アルキルであり、脂肪族基は、ハロゲン、アミノ、シアノ、C1〜C4-アルコキシから成る群より選択される1〜4個の置換基を有していてもよく、フェニル環は、上記置換基およびまたC1〜C6-アルキル、カルボキシレートおよびスルホネート基を有していてもよく、
RXはC1〜C6-アルキル、ハロゲン、アミノ、シアノ、C1〜C4-アルコキシ、カルボキシレートまたはスルホネートである）
から成る群より選択され；
[A]n-は、無機または有機プロトン酸HnA(III)[ここで、nは正の整数であり、アニオン上の電荷を示す]の一部または全部脱プロトン化されたアニオンである）
のイオン性液体を用いて、非プロトン性溶媒から、置換されていてもよいフェノール、3-ヒドロキシピラゾール、2-ヒドロキシピリジン、ヒドロキノン、レゾルシノール、カテコール；C1-C20-アルコール、グリコール、グリセロール、置換されていてもよいアニリン、N-C1-C20-アルキルアミン、N,N-ジ-C1-C20-アルキルアミン、P-C1-C20-アルキルホスフィン、P,P-ジ-C1-C20-アルキルホスフィン、フェニルホスフィン、ジフェニルホスフィン、ヒドラジン、ヒドロキシルアミン、スルホン酸、スルフィン酸、リン酸、カルボン酸又はアミノ酸を抽出除去する方法。
【請求項２】
抽出されるべき有機化合物が、フェノールまたはアルコールである請求項１記載の方法。
【請求項３】
非プロトン性溶媒が炭化水素である請求項１または２記載の方法。
【請求項４】
炭化水素がアルカンまたはハロゲン化アルカンである請求項１〜３のいずれか１項記載の方法。
【請求項５】
炭化水素が、ハロゲン、ニトロ、シアノ、C1-C3-アルキル、C1-C3-アルコキシまたはメトキシカルボニルで置換されていてもよいアレーンである請求項１〜３のいずれか１項記載の方法。
【請求項６】
イオン性液体が、アンモニウム塩またはイミダゾリウム塩、またはこれらの塩の混合物である請求項１〜５のいずれか１項記載の方法。
【請求項７】
イオン性液体が、硫酸塩または硫酸水素塩である請求項１〜６のいずれか１項記載の方法。
【請求項８】
フェノールがクロロベンゼンから除去される請求項１、６または７のいずれか１項記載の方法。
【請求項９】
抽出された不純物が蒸留によってイオン性液体から分離される請求項１〜８のいずれか１項記載の方法。
【請求項１０】
抽出された不純物が再抽出によってイオン性液体から分離される請求項１〜８のいずれか１項記載の方法。
【手続補正書】
【提出日】平成19年5月2日(2007.5.2)
【手続補正１】
【補正対象書類名】明細書
【補正対象項目名】０００６
【補正方法】変更
【補正の内容】
【０００６】
さらに、ＰＳＡ廃棄物の一部を加圧して原料ガス中へ再循環することにより約９５％の効率を達成できるが、追加のコンプレッサという代償を払う。
【特許文献１】    米国特許第４８３６８３３号明細書
【特許文献２】    米国特許第５４３５８３６号明細書
【特許文献３】    欧州特許第０５７９２９０号明細書
【発明の開示】
【発明が解決しようとする課題】
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
呼吸吸入カテーテル装置であって、
末端部及び内腔を備えた管状部分を持ち、前記管状部分を患者の人工空気路に挿入し、前記内腔に陰圧を付与することによって前記患者から流体を取り除かせることができる吸入カテーテルと、
前記吸入カテーテルの前記管状部分内に通すことができる通路、
前記吸入カテーテルに取り付けられた近位端部、及び、
前記患者に取り付けられた人工空気路構造に取り外し可能に取り付け可能に構成された末端部と、からなり、該末端部が前記人工空気路構造内で同心となるようになっているカテーテル取付区画と、
前記人工空気路構造に接触せず、前記カテーテル取付区画から取り外されないように前記カテーテル取付区画内に配置され、前記吸入カテーテルの前記管状部分が少なくとも実質的に前記患者の前記人工空気路を遮断する閉位置、及び、前記吸入カテーテルの前記管状部分を前記カテーテル取付区画を通って、更に前記患者の前記人工空気路に進ませることができる開位置を持つバルブと、
からなることを特徴とする装置。
【請求項２】
前記バルブから近位側において前記カテーテル取付区画内に配置されたワイパーシールを更に含むことを特徴とする請求項１に記載の呼吸吸引カテーテル装置。
【請求項３】
前記バルブから近位側において前記カテーテル取付区画内に配置されたクリーニング区画と、
流体を前記クリーニング区画に移送させるように構成された、前記クリーニング区画に対して連通状態にある灌注口と、
を含むことを特徴とする請求項１に記載の呼吸吸引カテーテル装置。
【請求項４】
前記バルブは、貫通孔を持つ単一フラップであり、該単一フラップは、前記管状部分を前記カテーテル取付区画を通して挿入することにより開状態とすることができることを特徴とする請求項１に記載の呼吸吸引カテーテル装置。
【請求項５】
前記カテーテル取付区画の前記末端部は、摩擦嵌合構造、ねじ係合、前記人工空気路構造に取り外し可能に取付可能なように配置された少なくとも１つの突起係合部のいずれか１つにより前記人工空気路構造に取り外し可能に取り付けられていることを特徴とする請求項１に記載の呼吸吸引カテーテル装置。
【請求項６】
前記人工空気路構造はバルブを有しており、空気損失を防ぐようになっていることを特徴とする請求項１に記載の呼吸吸引カテーテル装置。
【請求項７】
前記人工空気路構造への前記管状部分の挿入を可能にする開口を持ち、前記人工空気路構造のポートと係合するように構成されたキャップと、
プラグ連結紐を持ち、前記キャップ内の前記開口に挿入可能なプラグと、
を更に含むことを特徴とする請求項１に記載の呼吸吸引カテーテル装置。
【請求項８】
呼吸吸引カテーテル装置であって、
末端部及び内腔を備えた管状部分を持ち、患者の人工空気路に前記管状部分を挿入し、前記内腔に陰圧を付与することにより、患者から流体を取り除く吸引カテーテルと、
前記吸引カテーテルの前記管状部分を通すことができる通路、
前記吸引カテーテルに取り付けられた近位端部、
人工空気路構造に取り外し可能に取り付けられるように構成された末端部と、からなり、該末端部が前記人工空気路構造内で同心となるようになっている、カテーテル取付区画と、
前記人工空気路構造に接触せず、前記カテーテル取付区画から取り外されないように前記カテーテル取付区画に位置され、閉位置において前記通路を少なくとも実質的に遮断することができ、開位置において前記吸引カテーテルの前記管状部分を前記カテーテル取付区画を通して進ませることができるバルブ、及び、
前記バルブの閉位置において前記バルブから近位側にあるクリーニング区画、
からなるカテーテル取付区画と、
前記クリーニング区画に対して連通状態にあり、前記クリーニング区画を通して流体を移送することを可能にするように構成された灌注ポートと、
からなることを特徴とする装置。
【請求項９】
前記バルブから近位側において前記カテーテル取付区画に配置されているワイパーシールを含むことを特徴とする請求項８に記載の呼吸吸引カテーテル装置。
【請求項１０】
前記バルブは、貫通孔を持つ単一フラップであり、該単一フラップは、前記管状部分を前記カテーテル取付区画を通して挿入することにより開状態とすることができることを特徴とする請求項８に記載の呼吸吸引カテーテル装置。
【請求項１１】
前記カテーテル取付区画の前記末端部は、摩擦嵌合構造、ねじ係合、前記人工空気路構造に取り外し可能に取付可能なように配置された少なくとも１つの突起係合部のいずれか１つにより前記人工空気路構造に取り外し可能に取り付けられていることを特徴とする請求項８に記載の呼吸吸引カテーテル装置。
【請求項１２】
更に、前記カテーテル取付区画の前記末端部に対して係合可能で、前記カテーテル取付区画を前記人工空気路構造に取り外し可能に取り付けさせるクランプ係合リングを有することを特徴とする請求項８に記載の呼吸吸引カテーテル装置。
【請求項１３】
呼吸吸引カテーテル装置であって、
末端部及び内腔を備えた管状部分を持ち、患者の人工空気路に前記管状部分を挿入して前記内腔に陰圧を付与することにより患者から流体を取り除くためのものであり、前記管状部分の長さの少なくとも一部分に沿って前記管状部分を完全に囲むスリーブを持つ吸引カテーテルと、
前記吸引カテーテルの前記管状部分内に通すことができる通路、
前記吸引カテーテルに取り付けられた近位端部、及び、
前記患者に取り付けられた人工空気路構造に対し摩擦嵌合構造によって取り外し可能に取り付けられるように構成された末端部、
から成るカテーテル取付区画と、
前記人工空気路構造と接触しないように前記カテーテル取付区画内に配置され、前記吸引カテーテルの前記管状部分が前記患者の前記人工空気路から少なくとも実質的に遮断される閉位置、及び、前記吸引カテーテルの前記管状部分を前記カテーテル取付区画を通して前記患者の前記人工空気路に進ませる開位置を持つバルブと、
前記バルブから近位側において前記カテーテル取付区画内に位置させられたクリーニング区画と、
前記クリーニング区画から近位側において前記カテーテル取付区画内に配置されたワイパーシールと、
からなることを特徴とする装置。
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
血清アルブミン、オボアルブミン、カゼイン、グロブリン、ゼラチン、及びタンパク質溶液を形成するために水溶液中に直接懸濁されたコラーゲン繊維の懸濁液からなる群より選択される、架橋可能なタンパク質；並びに
アルデヒド及び該アルデヒドと反応性のアミノ酸含有種を含む架橋剤溶液を含有する組織接着剤シーラントであって、ここで該アルデヒド及び該アミノ酸含有種は、20:1〜1:1の比で存在し、組織接着剤シーラントを形成するために該タンパク質溶液と共に適用される、組織接着剤シーラント。
【請求項２】
前記架橋可能なタンパク質が、組換えタンパク質である、請求項１記載のシーラント。
【請求項３】
前記アミノ酸含有種が、下記式を有するもの：
【化１】
2006528518.tif 000001
(式中、QはCH2又は無であり；R1は、各々の位置において独立してH、Na、K、C2-C6アルキルであり；R2は、独立してH、C1-C20アルキル基、スルホネート、カルボキシラート、ヒドロキシル、第4級アミン、放射性同位元素イオン、磁気検出可能なイオン、抗生物質部分及び抗体から選択された置換基を有するC0-C4アルキル基であり；並びに、nは1〜6までの整数である。)；それらのハロゲン化水素塩；並びに、それらの組合せである、請求項１記載のシーラント。
【請求項４】
前記アミノ酸が、L-グルタミン酸及びL-アスパラギン酸からなる群より選択される、請求項３記載のシーラント。
【請求項５】
パッチ材料懸濁液をさらに含有する、請求項１記載のシーラント。
【請求項６】
発泡剤及び噴射剤をさらに含有する、請求項５記載のシーラント。
【請求項７】
血清アルブミン、オボアルブミン、カゼイン、グロブリン、ゼラチン、及びタンパク質溶液を作成するために水溶液中に直接懸濁されたコラーゲン繊維の懸濁液からなる群より選択される、架橋可能なタンパク質溶液が負荷された第一バレル、並びにオリゴマーを形成するためのアルデヒド及び該アルデヒドと反応性であるアミノ酸含有種を含む架橋剤溶液が負荷された第二バレルを備える、2-成分式シリンジを、それらを組織接着剤シーラント送達システムとして使用するための説明書と共に備える、市販用キット。
【請求項８】
パッチをさらに備える、請求項７記載のキット。
【請求項９】
第一バレル及び第二バレルの一方と一緒にされた発泡剤及び噴射剤をさらに含有する、請求項７記載のキット。
【請求項１０】
血清アルブミン、オボアルブミン、カゼイン、グロブリン、ゼラチン、及びタンパク質溶液を作成するために水溶液中に直接懸濁されたコラーゲン繊維の懸濁液からなる群より選択される、架橋可能なタンパク質、並びにアルデヒド及び該アルデヒドと反応性であるアミノ酸含有種を含む架橋剤溶液の使用であって、該アルデヒド及び該アミノ酸含有種が、20:1〜1:1の比で存在し、該タンパク質溶液に適用され、組織欠損を治療するための組織接着剤調製のための組織接着剤シーラントを形成する、使用。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
データを記録するための電子装置（１００）の使用法であって、
人に着用される衣服に配備され、またはその一部を形成するセンサー（１０，１２，１６，１８，２２，３０）による、人の物理的および／または生体医学的なパラメータに関する情報の検知と、
前記情報のディジタル形式のデータへの変換と、
前記データの前記装置への送信と、
前記装置内における前記データの格納と、
を含み、
着用した人が高速のスポーツ活動に参加するときに、その人体の保護を意図するタイプの衣服において用いられ、前記検知されるパラメータは、前記活動を実行する全段階において前記人体上の前記衣服が及ぼす圧力を含む
ことを特徴とする電子装置の使用法。
【請求項２】
前記センサーによって検知される他の前記パラメータは、
前記人体の温度、動脈圧、前記人体の心拍、湿度、および前記衣服を着用した前記人によって車両上において前記活動が行われたときの前記人と前記車両との相対的な加速度の内の少なくとも１つである
ことを特徴とする請求項１に記載の電子装置の使用法。
【請求項３】
前記センサー（１０，１２，１６，１８，２２，３０）から前記装置（１００）への前記データの送信手段もまた、前記活動の実行中に前記人に着用される衣服に配備され、またはその一部を形成することを特徴とする請求項１に記載の電子装置の使用法。
【請求項４】
着用した人の物理的パラメータを検知するための（１０，１２，１６，１８，２２）および／または生体医学的なパラメータを検知するためのセンサー（２０，３０）の複数が衣服の構造内に組み込まれて、前記各センサーから送信されるデータを記録して処理するための電子装置（１００）を含む衣服であって、
着用した人が高速のスポーツ活動に参加するときに、その人体の保護を意図するタイプの衣服であり、
前記センサー（１０，１２，１６，１８，２２）の少なくとも１つは、前記活動を実行する全段階において前記人体上の前記衣服が及ぼす圧力を検知するためのものである
ことを特徴とする衣服。
【請求項５】
好ましくは衝撃から保護される位置に、データを記録して処理する前記電子装置（１００）用のハウジングおよび／または、前記センサー（１０，１２，１６，１８，２０，２２，３０）の全てから前記電子装置（１００）への前記データの送信を確保する接続手段（１２０）を含むことを特徴とする請求項４に記載の衣服。
【請求項６】
モーターサイクルまたはカーレースを行う人に着用される衣服であることを特徴とする請求項４または５に記載の衣服。
【請求項７】
人の頭を保護するためのヘルメットなどのタイプであることを特徴とする請求項４から６のいずれかに記載の衣服。
【請求項８】
人の手足を保護するための履物や手袋などのタイプであることを特徴とする請求項４から６のいずれかに記載の衣服。
【手続補正２】
【補正対象書類名】明細書
【補正対象項目名】０００４
【補正方法】変更
【補正の内容】
【０００４】
さらに、エレクトロニクス技術と協同して、いわゆる消極防護システム（passive protection systems）を構成する不燃性かつ強い抵抗性の素材の開発に加えて、いわゆる”インテリジェント衣料”や”積極防護システム（active protection systems）”の設計が可能である。例えば、特許出願ＷＯ‐Ａ‐０１  １９８５０は、モーターサイクリストのジャケットと、ベスト（waistcoat）つまり”ジレ（gilet）”を含み、それは、エアークッション、つまり”エアーバッグ”を形成する３つの膨張式バッグを含み、さらに背部用の硬い防護を含む。そのジャケットは加速度センサーを含み、それによって検出されたデータは中央処理装置に送られて、危険な事態（パイロットが受ける落下や衝撃）において各電動バルブを始動さる。その各電動バルブは、通常は平らでかつジャケットの中に隠された前記膨張式バックに、３つのガスシリンダを接続する。注目すべきは、このシステムの主目的は、危険な事態において防護システムの自動的な起動を確保することであり、このシステムは、正常な使用において、すなわち事故以外の状態において、モーターサイクリストの生体医学的なデータの記録を予想しない。その同じ特許出願においては、光ファイバーセンサを組み入れた複合繊維材料を用いて、ジャケットとベストを製造することが予想され、その光ファイバーセンサは、ジャケットに縫い付けられたディスプレイに、機械的、物理的、および熱のパレメータに関する情報をリアルタイムに送る。この情報は、衣服を着用する人の専用であって、記録はされない。しかし、パイロットとモーターサイクルの相対的な加速度以外には、必要とされるパラメータに関して正確な指示が与えられない。
各センサーが備わる衣服は、その衣服を着用した患者の健康の監視を目的とするＤＥ−Ａ−１９９  ２７６８６およびＤＥ−Ａ−１００  ０５  ５２６により知られており、また、携帯電話を通して、関連情報を音声に変換して送られる緊急事態の検知を目的とするＵＳ−Ａ−２００１  ００２４９４９により知られており、また、その衣服を着用した人の体調の検知を目的とするＷＯ−Ａ−０１  １００２００およびＵＳ−Ａ−２００３  ０１３５１２７により知られ、後者の文献によれば、その衣服を着用した人は競技活動を行なう人であってもよい。
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
生ごみディスポーザであって、
生ごみを分解するための粉砕室と、
粉砕室の内壁に取り付けられ、複数の歯を有する固定破砕リングと、
上側回転板、および回転破砕板に隣接する下側支持板を有する回転破砕板アセンブリと、
上側回転板および下側支持板を通して延びる固定部材によって、上側回転板に取り付けられる複数のラグとを備え、該ラグが、生ごみを固定破砕リングの歯に対して押し当てて、生ごみを粒状物質に粉砕するように、上側回転板に対して回転可能であり、
粉砕室、固定破砕リング、および回転破砕板アセンブリが、金属でできており、かつ細菌の増殖を抑制するように処理される、生ごみディスポーザ。
【請求項２】
粉砕室、固定破砕リング、および回転破砕板アセンブリが、抗細菌被覆で処理される、請求項１に記載の生ごみディスポーザ。
【請求項３】
抗細菌被覆が、銀を含有する、請求項２に記載の生ごみディスポーザ。
【請求項４】
抗細菌被覆が、抗細菌金属を含む、請求項２に記載の生ごみディスポーザ。
【請求項５】
抗細菌被覆が、ロールコーティングされる、請求項２に記載の生ごみディスポーザ。
【請求項６】
抗細菌被覆が、粉末コーティングされる、請求項２に記載の生ごみディスポーザ。
【請求項７】
抗細菌被覆が、炭化水素結合剤を含む、請求項６に記載の生ごみディスポーザ。
【請求項８】
生ごみを粉砕室に送る入口ハウジングをさらに備え、該入口ハウジングが、金属でできており、かつ細菌の増殖を抑制するように処理される、請求項１に記載の生ごみディスポーザ。
【請求項９】
細菌の増殖を抑制するように処理された食器洗浄機入口をさらに備える、請求項１に記載の生ごみディスポーザ。
【請求項１０】
生ごみディスポーザであって、
生ごみを受け取る第１の成形プラスチックハウジングを含む入口ハウジングと、
電動機軸に回転運動を与える電動機を含む電動機ハウジングと、
生ごみを分解するための粉砕室とを備え、該粉砕室が、入口ハウジングと電動機ハウジングとの間に配設され、入口ハウジングが、生ごみを粉砕室に搬送し、粉砕室が、一部が電動機軸に取り付けられている粉砕機構を含み、粉砕機構が、生ごみを粒状物質に粉砕し、粉砕室が、粉砕機構を取り囲み、かつ第１のプラスチックハウジングと一体に形成された第２の成形プラスチックハウジングを含み、第２の成形プラスチックハウジングが、放出出口を形成し、
第１の成形プラスチックハウジング、第２の成形プラスチックハウジング、および放出出口が、細菌の増殖を抑制するように処理される、生ごみディスポーザ。
【請求項１１】
第１の成形プラスチックハウジング、第２の成形プラスチックハウジング、および放出出口が、抗細菌被覆で処理される、請求項１０に記載の生ごみディスポーザ。
【請求項１２】
抗細菌被覆が、銀を含有する、請求項１１に記載の生ごみディスポーザ。
【請求項１３】
抗細菌被覆が、抗細菌金属を含む、請求項１１に記載の生ごみディスポーザ。
【請求項１４】
第１の成形プラスチックハウジング、第２の成形プラスチックハウジング、および放出出口が、埋め込み抗細菌薬剤で処理される、請求項１０に記載の生ごみディスポーザ。
【請求項１５】
プラスチックでできており、かつ細菌の増殖を抑制するように処理された食器洗浄機入口をさらに備える、請求項１０に記載の生ごみディスポーザ。
【請求項１６】
粉砕室内に配置された粉砕板の下で、分解された生ごみを受け取るライナをさらに備え、該ライナが、プラスチックでできており、かつ細菌の増殖を抑制するように処理される、請求項１０に記載の生ごみディスポーザ。
【請求項１７】
生ごみに接触する取り外し可能なゴム部品をさらに備え、該ゴム部品が、細菌の増殖を抑制するために抗細菌物質によって処理される、請求項１に記載の生ごみディスポーザ。
【請求項１８】
抗細菌物質が、抗細菌被覆を含む、請求項１７に記載の生ごみディスポーザ。
【請求項１９】
抗細菌被覆が、銀を含有する、請求項１８に記載の生ごみディスポーザ。
【請求項２０】
抗細菌物質が、ゴム部品に埋め込まれる、請求項１７に記載の生ごみディスポーザ。
【請求項２１】
ゴム部品が、生ごみディスポーザへの入口に配置可能なバッフルを含む、請求項１７に記載の生ごみディスポーザ。
【請求項２２】
ゴム部品は、ディスポーザが取り付けられるシンク内の排水開口内に配置可能である、請求項１７に記載の生ごみディスポーザ。
【請求項２３】
振動を絶縁し、かつ生ごみに接触するゴム部品をさらに備え、ゴム振動絶縁部品が、細菌の増殖を抑制するように処理される、請求項１に記載の生ごみディスポーザ。
【請求項２４】
ゴム振動絶縁部品が、抗細菌被覆で処理される、請求項２３に記載の生ごみディスポーザ。
【請求項２５】
抗細菌被覆が、銀を含有する、請求項２４に記載の生ごみディスポーザ。
【請求項２６】
抗細菌被覆が、抗細菌金属を含む、請求項２４に記載の生ごみディスポーザ。
【請求項２７】
ゴム振動絶縁部品が、埋め込み抗細菌薬剤で処理される、請求項２３に記載の生ごみディスポーザ。
【請求項２８】
ゴム部品が、生ごみディスポーザをシンクに固着させる抗細菌マウントを含む、請求項２３に記載の生ごみディスポーザ。
【請求項２９】
ゴム部品が、テールパイプをディスポーザに連結するための振動絶縁放出継手を含む、請求項２３に記載の生ごみディスポーザ。
【請求項３０】
ゴム振動絶縁部品が、ディスポーザの重量を支える、請求項２３に記載の生ごみディスポーザ。
【請求項３１】
ディスポーザ内の粉砕室内に配置可能な、生ごみディスポーザのための粉砕機構であって、
破砕板と、
破砕板に隣接し、かつ上側回転板を通して延びる複数の固定破砕ラグを有する下側支持板と、
破砕板の周囲に配置された破砕リングとを備え、
破砕板、粉砕ラグ、下側支持板、および破砕リングのうちの少なくとも１つが、細菌の増殖を抑制するように処理される、粉砕機構。
【請求項３２】
被処理部品が、抗細菌被覆で処理される、請求項３１に記載の生ごみディスポーザ。
【請求項３３】
抗細菌被覆が、銀を含有する、請求項３２に記載の生ごみディスポーザ。
【請求項３４】
抗細菌被覆が、抗細菌金属を含む、請求項３２に記載の生ごみディスポーザ。
【請求項３５】
抗細菌被覆が、ロールコーティングされる、請求項３２に記載の生ごみディスポーザ。
【請求項３６】
抗細菌被覆が、粉末コーティングされる、請求項３２に記載の生ごみディスポーザ。
【請求項３７】
抗細菌被覆が、炭化水素結合剤を含む、請求項３６に記載の生ごみディスポーザ。
【請求項３８】
食器洗浄機入口をさらに備え、第１および第２のプラスチックハウジングならびに食器洗浄機入口が、ＡＢＳで構成され、第１および第２のプラスチックハウジングが、埋め込み抗細菌薬剤の約２，０００ｐｐｍの濃度を有し、食器洗浄機入口が、埋め込み抗細菌薬剤の２，０００ｐｐｍ未満の濃度を有する、請求項１４に記載の生ごみディスポーザ。
【請求項３９】
生ごみに接触する取り外し可能なゴム部品をさらに備え、該ゴム部品が、約１，０００ｐｐｍの濃度を有する埋め込み抗細菌薬剤を含む、請求項３８に記載の生ごみディスポーザ。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
コーティングスロットを有する分配チャンバと、シールシートを備えた少なくとも１つのピストンとを有する、コーティングシステムのコーティング幅を適応させる装置であって、前記少なくとも１つのピストンが、前記コーティングスロットに沿って移動できるように前記分配チャンバの片側に配置され、前記シールシートが前記コーティングスロットを実質的に封鎖し、さらに、連続した材料ウェブをシミュレートするように、コーティング流体から反対側の前記ピストンの側面に封液を適用する手段をさらに備える、装置。
【請求項２】
前記ピストンが、前記シールシートのほぼ起部と終端部に配置された２つのシール要素を備え、前記封液が前記シール要素の間に供給される、請求項１に記載の装置。
【請求項３】
コーティングスロットを制限する少なくとも１つの制限手段を備える、コーティングシステムのコーティング幅を適応させる装置であって、前記制限手段が移動可能であり、前記制限手段は、当該制限手段を通じて封液が適用可能であるように作られている装置。
【請求項４】
被覆すべき手段の縁部領域に封液を適用することによってコーティングシステムのコーティング幅を適応させる方法。
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
少なくとも部分的に結晶化された酸化チタンを含む光触媒特性を示す材料を調製する方法であって、６００℃を超える温度を使用することを特徴とする、方法。
【請求項２】
６３０℃を超える温度を使用することを特徴とする、請求項１に記載の方法。
【請求項３】
グレージングに関して実施される強化及び／又は曲げ処理を伴うことを特徴とする、請求項１又は２に記載の方法。
【請求項４】
ガラス又はガラス−セラミックタイプの第１の透明又は半透明基材の第１面に酸化チタンのコーティングを堆積することを含むことを特徴とする、請求項１〜３のいずれか１項に記載の方法。
【請求項５】
前記第１の透明又は半透明基材の第２面、あるいは第２の透明又は半透明基材に属する第２面に１つ又は複数の機能多層及び／又は機能層を堆積することを含むことを特徴とする、請求項４に記載の方法。
【請求項６】
６００℃を超える温度の使用が、前記第１及び第２面への堆積後であることを特徴とする、請求項５に記載の方法。
【請求項７】
前記第１及び第２面への堆積が、カソードスパッタリングによって実施されることを特徴とする、請求項５又は６に記載の方法。
【請求項８】
前記第１及び第２面への堆積が、反対側で実質的に同一の方向に沿って一致して同時又はほぼ同時に実施されることを特徴とする、請求項７に記載の方法。
【請求項９】
少なくとも一方の面に酸化チタンを含む材料のコーティングを備えたガラスシートであって、汚れ防止グレージングに必要とされる光触媒活性及び光学品質を依然として維持しながら、６００℃を超える熱処理を受けることができるか又はその熱処理を受けたことを特徴とする、ガラスシート。
【請求項１０】
６００℃を超える熱処理によって生じるコーティング側の反射における平均比色変化ΔＥが、最大２．８であることを特徴とする、請求項９に記載のガラスシート。
【請求項１１】
請求項９又は１０に記載のガラスシートを含む、単一又は複合の積層されたモノリシックグレージング。
【請求項１２】
少なくとも第１の構成要素のガラスシートの少なくとも第１面に、請求項１に記載の方法によって得られた光触媒特性を示す材料のコーティングを備えた、単一又は複合の積層されたモノリシックグレージング。
【請求項１３】
光触媒特性を示す材料のコーティングの下に、前記第１面が、６００℃を超える温度の適用によって生じる可能性のあるガラスからのアルカリ金属の移動に対してバリヤーを形成する少なくとも１つの層を含む、１つ又は複数の機能多層及び／又は機能層を備えていることを特徴とする、請求項１２に記載のグレージング。
【請求項１４】
前記第１のガラスシートの第２面又は第２の構成要素のガラスシートに属する第２面が、熱制御若しくは低放射率の多層；光学機能を有する多層若しくは層；汚れ防止光触媒材料の層；親水性層；疎水性層；導電性糸の網目構造体若しくは導電性層；又はアンテナ若しくは帯電防止の層から選択された１つ又は複数の機能多層及び／又は機能層を備え、これらの層が個々に又は組み合わせて用いられることを特徴とする、請求項１２又は１３に記載のグレージング。
【請求項１５】
請求項１１〜１４のいずれか１項に記載のグレージングの、二重グレージングタイプの建築用グレージング、自動車のためのフロントガラス、リアウィンドウ、サイドウィンドウ及びサイドミラータイプの乗物用グレージング、列車、航空機及び船のための窓、水槽のガラス、店の窓ガラス及び温室のガラスの実用グレージング、インテリア家具、街路備品、鏡、コンピューター、テレビ及び電話タイプのディスプレイシステムのためのスクリーン、電気制御可能なグレージング、又は光起電性グレージングを含む「自己洗浄」性の曇り防止、凝結防止及び汚れ防止グレージングとしての適用。
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
各プレート(7)に対してオムレツ生地を供給する位置から、当該装置から完成オムレツを取り上げる位置まで、当該装置を通して前記プレートを直線的に移送するコンベア(3、4)を有するというオムレツ作成装置であって、
前記プレート(7)を磁性材料とし、２つの処理区域において前記コンベア(3、4)の下方に位置されて別個に制御可能な少なくとも二つの誘導加熱器(13)と、
前記コンベアの上方に位置された少なくとも一つの赤外線ヒータ(11)と、
を具備することを特徴とする、オムレツ作成装置。
【請求項２】
当該装置の各個別処理区域は、モジュール式システムにおけるモジュールを具備する、請求項１に記載の装置。
【請求項３】
前記コンベア(3、4)を段階的に駆動すると共に、各処理区域において各前記プレート(7)に対して一定の停止時間を与える手段が配備される、請求項１に記載の装置。
【請求項４】
当該装置は、完成オムレツを取り上げる区域の前におけるオムレツ生地供与器(9)および赤外線ヒータ(11)の処理区域を順番に含むことができる、請求項１に記載の装置。
【請求項５】
前記オムレツ生地供与器(9)と前記赤外線ヒータ(11)との間に、第1補充物供与器(10)を備えた区域が配備される、請求項４に記載の装置。
【請求項６】
前記赤外線ヒータ(11)と、前記完成オムレツを取り上げる区域との間に、第2補充物供与器(12)を備えた区域が配備される、請求項４または請求項５に記載の装置。
【請求項７】
第１の前記赤外線ヒータ(11)の後には第２の赤外線ヒータ(11A)を備えた区域が配備される、請求項４から請求項６のいずれか一つの請求項に記載の装置。
【請求項８】
いずれの処理区域(9〜12)にも誘導加熱器(13)が配備される、請求項４から請求項７のいずれか一つの請求項に記載の装置。
【請求項９】
第１の前記コンベア(3)と平行に第2のコンベア(4)が配置される、請求項１に記載の装置。
【請求項１０】
前記コンベア(3、4)は別個の駆動手段を有する、請求項９に記載の装置。
【請求項１１】
前記補充物供与器(10、12)は、鉛直旋回軸心を有する回転式構造内に数種の補充物を含む、請求項５または請求項６に記載の装置。
【請求項１２】
前記コンベア(3、4)はテフロン（登録商標）などの非磁性材料から作成される、請求項１に記載の装置。
【請求項１３】
各プレート(7)に対してオムレツ生地を供給する位置から、当該装置から完成オムレツを取り上げる位置まで、当該装置を通して前記プレートが直線的に移送されるという装置においてオムレツを作成する方法であって、
前記プレート(7)を磁性材料として、少なくとも２つの処理区域における下方からの別個に制御可能な誘導加熱器によるオムレツの主要凝固と、上方からの赤外線加熱によるオムレツの頂面の焦げ目付けとの組み合わせを具備することを特徴とする、方法。
【手続補正書】
【提出日】平成19年7月18日(2007.7.18)
【手続補正１】
【補正対象書類名】特許請求の範囲
【補正対象項目名】請求項２４
【補正方法】変更
【補正の内容】
【請求項２４】
互い対して移動するように互いに係合する上部部品及び下部部品を有する椎間インプラントと組み合わせて、該椎間インプラントを椎間空間に挿入するための器具であって、
椎間空間で椎骨の一表面に係合する上部と、椎間空間で椎骨の他表面に係合する下部とを有する前記椎間インプラントと、
１つの旋回連結部で互いに旋回可能に連結されている１対のアームであって、ハサミのような前記旋回連結部を中心にして当該アームが互いに対して移動され、しかも、前記アームの前方端部に上部アームおよび下部アームを備え、これらの間に前記椎間インプラントの前記上部部品及び下部部品を固定するために前記アームが前記前方端部において垂直方向に互いに対して接近し、且つ前記椎間インプラントの取り外しのために垂直方向に互いから引き離されるように構成されているアームと、を備える器具。
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
対向面と該対向面間の中間領域とを画定する繊維ウェブであって、該対向面の少なくとも１つがクリーニングワイプの作業面として機能する繊維ウェブと、
粘着性材料のレベルが該作業面でよりも該中間領域中で大きいように該繊維ウェブに適用された粘着性材料と、
を含むクリーニングワイプ。
【請求項２】
前記対向面の両方とも作業面であり、そしてさらに前記粘着性材料のレベルが該作業面のどちらでよりも前記中間領域中で大きい、請求項１に記載のクリーニングワイプ。
【請求項３】
対向面と該対向面間の中間領域とを画定する繊維ウェブであって、該対向面の少なくとも１つがクリーニングワイプの作業面として機能する繊維ウェブと、
１０ｇ／ｍ2より大きいレベルで該繊維ウェブ中へ含浸された粘着性材料と、
を含むクリーニングワイプであって、
該作業面が５ポンド（２．３ｋｇ）以下のドラッグ値を示すクリーニングワイプ。
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
血液を輸送する管状体の外側表面に接触するように位置するカフと、該カフ内に封入された血圧を測定する少なくとも１つのセンサとを含み、
上記カフがカニューレ内に一体化されて形成されている、埋め込み型装置。
【請求項２】
上記埋め込み型装置が、患者の循環器系内で血流または血圧を閉塞したり、または上記血流または血圧に悪影響を与えたりしない、請求項１に記載の埋め込み型装置。
【請求項３】
上記埋め込み型装置が、少なくとも２つのセンサを含み、
該センサが上記管状体に対して軸方向に一列に並んでいる、請求項１に記載の埋め込み型装置。
【請求項４】
上記埋め込み型装置が、少なくとも２つのセンサを含み、
該センサが上記管状体に対して半径方向に一列に並んでいる、請求項１に記載の埋め込み型装置。
【請求項５】
上記埋め込み型装置が、上記血圧の変化から心臓のポンプ状態を判断するコントローラに接続されている、請求項１に記載の埋め込み型装置。
【請求項６】
上記カフがシリコン、ベロア、またはダクロン（登録商標）を含む、請求項１に記載の埋め込み型装置。
【請求項７】
上記埋め込み型装置が血液ポンプと協調して動作する、請求項６に記載の埋め込み型装置。
【請求項８】
上記血圧が、上記血液ポンプのポンプ速度を制御するためのフィードバック機構で使用され、
上記フィードバック機構がコントローラを含んでいる、請求項１に記載の埋め込み型装置。
【請求項９】
上記コントローラが、上記埋め込み型血液ポンプによる過少供給または過大供給を最低限とするように、ポンプ速度を調節する、請求項８に記載の装置。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
検体（人体を除く）を照明するための照明光源を用意し;
前記検体を少なくとも部分的に囲む反射囲い中に前記照明光源を隣接して配置し；
前記検体を前記照明光源からの光を使って照明し；および、
前記検体から出てくる光を検出器を用いて検出する、
工程からなる、検査装置において光学パス長の変動を最小にする方法。
【請求項２】
前記照明光源が複数の放射光源からなる請求項１の方法。
【請求項３】
前記複数の放射光源のうち少なくとも１つが、前記反射囲いの内部に位置する請求項２の方法。
【請求項４】
少なくとも２つの前記放射光源が、前記反射囲いの内部に位置し、また前記放射光源が前記検体に関して放射方向に配置されている請求項３の方法。
【請求項５】
少なくとも２つの前記放射光源が、前記反射囲いの内部に位置し、また前記放射光源が前記検体に関して軸線方向に配置されている請求項３の方法。
【請求項６】
前記放射光源が小型の白色ランプを含む請求項２の方法。
【請求項７】
前記検出器が複数の検出器単位からなる請求項１の方法。
【請求項８】
前記反射囲いが両軸の端が開いているシリンダーからなる請求項１の方法。
【請求項９】
前記シリンダーが前記検体を囲む請求項８の方法。
【請求項１０】
前記検体が流動体である請求項９の方法。
【請求項１１】
前記流動体が、照明時間および光の検出時間中に前記シリンダーを通って流れる請求項１０の方法。
【請求項１２】
前記検体が分離された体液である請求項１の方法。
【請求項１３】
検体を照明するための照明光源であって、少なくとも部分的に前記検体を囲む反射囲いに隣接して配置される照明光源と；
前記検体から発する光を検出する検出器と；
からなる検体の均質性を模擬した検査をするための検査装置。
【請求項１４】
前記照明光源が複数の放射光源からなる請求項１３の検査装置。
【請求項１５】
前記複数の放射光源のうち少なくとも１つが、前記反射囲いの内部に位置する請求項１４の装置。
【請求項１６】
少なくとも２つの前記放射光源が、前記反射囲いの内部に位置し、また前記放射光源が前記検体に関して放射方向に配置されている請求項１５の装置。
【請求項１７】
少なくとも２つの前記放射光源が、前記反射囲いの内部に位置し、また前記放射光源が前記検体に関して軸線方向に配置されている請求項１５の装置。
【請求項１８】
前記放射光源が小型の白色ランプからなる請求項１４の装置。
【請求項１９】
前記検出器が複数の検出器単位からなる請求項１３の装置。
【請求項２０】
前記反射囲いが軸線方向の両端が開いているシリンダーからなる請求項１３の装置。
【請求項２１】
前記シリンダーが前記検体を囲む請求項２０の装置。
【請求項２２】
前記検体が流動体に取り囲まれる請求項１４の装置。
【請求項２３】
前記検査装置が体液中にある成分のin vivoの非観血的試験に適応する請求項２２の装置。
【請求項２４】
前記反射囲いが少なくとも部分的に指を囲むように構成されている請求項２３の装置。
【請求項２５】
前記反射囲いがおよそ前記指の幅のサイズと等しい開口部を用いて、光線の放射方向において部分的にだけ前記指を囲むように構成されている請求項２４の装置。
【請求項２６】
前記反射囲いが光線の放射方向において完全に前記指を囲み、さらに前記囲いの内部に前記照明光源および前記検出器を有する請求項２４の装置。
【請求項２７】
照明されて前記光が検出される前記指の部分が指関節である請求項２４の装置。
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
画像受容層を上に有する支持体を含んで成る記録要素であって、コアが、無機または有機粒子を含み、そしてシェルが、式：
Si(OR)aZb
（ただし、Rは、水素、または炭素原子が1〜20個の置換されたもしくは置換されていないアルキル基、または炭素原子が6〜20個の置換されたもしくは置換されていないアリール基であり；
Zは、炭素原子が1〜約20個のアルキル基、または炭素原子が6〜20個のアリール基であり、Zのうちの少なくとも1つは、第一級、第二級、第三級、第四級窒素原子のいずれかを少なくとも1つ含み；
aは、1〜3の整数であり；
bは、1〜3の整数であるが；
a+b=4であることを条件とし；
さらに、有機シラン・シェル材料の量は、比R（コア粒子のシェルを作るのに使った有機シランのマイクロモル数／コア粒子の全表面積（単位はm2））が10よりも大きくなるような量であることを条件とする）
を有する化合物に由来する有機シランまたは加水分解された有機シランを含むコア-シェル粒子を含有する記録要素。
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
画像受理層を上に有する支持体を含む画像記録要素であって、コア／シェル粒子を含み、該粒子のシェルはオリゴマーもしくはポリマーのアルミノケイ酸塩錯体またはアルミノケイ酸塩粒状物からなり、該錯体および該粒状物は正電荷を有しており、陰イオンにより釣り合わされている画像記録要素。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
２００〜３００ｎｍのメジアン粒度を有する大きな粒子と８０〜１４０ｎｍのメジアン粒度を有する小さな粒子の混合物を含む画像受容要素であって、前記大きな粒子と前記小さな粒子の質量比が８０：２０〜２０：８０であり、前記大きな粒子及び前記小さな粒子が、加水分解可能なオルガノシラン、アルミノシリケートポリマー及び金属オキシヒドロキシ錯体から選ばれる画像退色抵抗性を提供する材料のシェルを有し、前記画像受容要素が約４０％を超える孔隙率を有し、前記画像受容要素が２５を超える６０°光沢度を有することを特徴とする画像受容要素。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
基体を受容する支持体と、
放射線硬化型インクを前記支持体上に受容された基体に向けて送るプリントヘッドと、
前記基体上に受容されたインクに放射線を付与する放射線源と、
前記放射線源により放出された放射線量を感知するセンサと、
前記センサからの信号と、前記インク、基体または印刷生産性パラメータのうちの少なくとも１つの特性とを入力可能な入力部を有するコントローラと、
を備える放射線硬化型インク用インクジェット印刷装置であって、
前記コントローラは、前記放射線源に接続されているとともに、前記センサから受け取った信号と前記インク、基体または印刷生産性パラメータのうちの少なくとも１つの特性とに従って前記放射線源により送出される放射線量を変化させ、
前記基体が前記支持体上に受容されたときに、前記センサが前記基体から横方向にずれており、
前記インクジェット印刷装置は、前記放射線源を前記基体を横切り前記センサに向かって移動させる駆動機構をさらに備える、
インクジェット印刷装置。
【請求項２】
前記インクジェット印刷装置はフラットベッドプリンタであり、前記基体上に画像を印刷する過程中に前記駆動機構が前記放射線源を複数回前記センサに隣接する位置に移動させる、請求項１に記載のインクジェット印刷装置。
【請求項３】
前記インクジェット印刷装置が、前記放射線源を前記基体を横切って第１の方向に移動させる第１の駆動機構と、前記放射線源を前記基体を横切って第２の方向に移動させる第２の駆動機構とを含み、前記第１の方向は前記第２の方向にほぼ垂直である、請求項１に記載のインクジェット印刷装置。
【手続補正２】
【補正対象書類名】明細書
【補正対象項目名】００３６
【補正方法】変更
【補正の内容】
【００３６】
図示の実施形態ではキャリッジ３６は、照射装置４４の各々を、基体上に受容されたインクの上方およびセンサ４６の上方を通る経路に沿って連続して移動させるように動作可能である。しかし代替例として、各々センサ４６と同一の２つのセンサを支持体１４に隣接して並んで配置してもよいため、各装置４４からの放射線量は同時に検出可能である。
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
流体へのガスの選択的転送のための膜構造体であって、
ａ）支持シートの少なくとも一側面上に複数の支持体を有する多層流体不透過性シートであって、前記支持体が複数の不連続流路を形成しており、前記多層流体不透過性シートの少なくとも１層が結合層である、多層流体不透過性支持シートと、
ｂ）複数の前記不連続流路を被覆し、そして前記結合層によって複数の前記支持体に結合された、少なくとも１層のガス透過性層と、
を含み、前記結合層が、その結合層から外方に向く前記ガス透過性層の部分よりも低い軟化温度を有する、膜構造体。
【請求項２】
前記多層流体不透過性支持シートが波形シートの形態にあり、そして波形の先端が前記支持体を形成する、請求項１に記載の膜構造体。
【請求項３】
前記支持体が、前記多層流体不透過性支持シートの少なくとも一側面から延在するレールを含む、請求項１に記載の膜構造体。